(57)【特許請求の範囲】
【請求項１】
室内機と室外機とを具備するスプリット形の空気調和装置であって、
前記室内機は、
筐体と、
前記筐体内に配置され、可燃性を有する冷媒が供給される室内熱交換器と、
前記筐体内に配置され、送風ファンを収容するファンケーシングと、
前記筐体内に空気を吸引する吸引口と、
前記吸引口を開閉自在に覆う吸引口カバーと、
国際規格に規定された室内に据え付ける際の据付高さであって空気調和装置の機種毎に設定されている据付高さを表示する表示部と、
を有し、
前記表示部は、前記ファンケーシングのうち、前記吸引口カバーが開けられた際に前記吸引口を介して外部から視認可能な位置に設けられている空気調和装置。
【請求項２】
室内機と室外機とを具備するスプリット形の空気調和装置であって、
前記室内機は、
筐体と、
前記筐体内に配置され、可燃性を有する冷媒が供給される室内熱交換器と、
前記筐体内に配置され、送風ファンを収容するファンケーシングと、
前記筐体内に空気を吸引する吸引口と、
前記吸引口を開閉自在に覆う吸引口カバーと、
国際規格に規定された室内に据え付ける際の床面積であって空気調和装置の機種毎に設定されている冷媒充填量に応じた床面積を表示する表示部と、
を有し、
前記表示部は、前記ファンケーシングのうち、前記吸引口カバーが開けられた際に前記吸引口を介して外部から視認可能な位置に設けられている空気調和装置。
【請求項３】
前記室内機は、
前記筐体に設けられ、少なくとも型式又は冷媒の名称が記載された名標部を有し、
前記表示部は、前記名標部と並ぶように設けられている請求項１又は請求項２に記載の空気調和装置。
【発明の詳細な説明】
【技術分野】
【０００１】
本発明は空気調和装置、特に、地球温暖化係数が低い冷媒を使用した冷凍サイクルを実行する空気調和装置に関するものである。
【背景技術】
【０００２】
従来、空気調和装置が実行する冷凍サイクルの冷媒として、不燃性であるＲ４１０Ａのような「ＨＦＣ冷媒」が用いられている。このＲ４１０Ａは、従来のＲ２２のような「ＨＣＦＣ冷媒」と異なり、オゾン層破壊係数（以下「ＯＤＰ」と称す）がゼロであって、オゾン層を破壊することはないが、地球温暖化係数（以下「ＧＷＰ」と称す）が高いという性質を有している。
そのため、地球の温暖化防止の一環として、Ｒ４１０ＡのようなＧＷＰが高いＨＦＣ冷媒から、ＧＷＰが低い冷媒へと変更する検討が進められている。
【０００３】
そのような低ＧＷＰの冷媒候補として、自然冷媒であるＲ２９０（Ｃ３Ｈ８；プロパン）やＲ１２７０(Ｃ３Ｈ６；プロピレン)のようなＨＣ冷媒があるが、不燃性であるＲ４１０Ａとは異なり、強燃レベルの可燃性を有しており、そのため、冷媒漏洩に対する注意が必要である。
【０００４】
また、そのような低ＧＷＰの冷媒候補として、組成中に炭素の二重結合を持たないＨＦＣ冷媒として、例えば、Ｒ４１０ＡよりもＧＷＰが低いＲ３２（ＣＨ２Ｆ２；ジフルオロメタン）がある。
また、同じような候補冷媒として、Ｒ３２と同様にＨＦＣ冷媒の一種であって、組成中に炭素の二重結合を有するハロゲン化炭化水素がある。かかるハロゲン化炭化水素として、例えば、ＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）がある。なお、Ｒ３２のように組成中に炭素の二重結合を持たないＨＦＣ冷媒と区別するために、炭素の二重結合を持つＨＦＣ冷媒を、オレフィン（炭素の二重結合を持つ不飽和炭化水素がオレフィンと呼ばれる）の「Ｏ」を使って、「ＨＦＯ」と表現されることが多い。
【０００５】
このような低ＧＷＰのＨＦＣ冷媒（ＨＦＯ冷媒含む）は、自然冷媒であるＲ２９０（Ｃ３Ｈ８；プロパン）のようなＨＣ冷媒ほど強燃性ではないものの、不燃性であるＲ４１０Ａとは異なり、微燃レベルの可燃性を有している。そのため、Ｒ２９０と同様に冷媒漏洩に対する注意が必要である。これより以降、微燃レベルであっても可燃性を有する冷媒のことを「可燃性冷媒」と称する。
【０００６】
可燃性冷媒の冷媒漏洩に対しては、万一、冷媒が漏洩しても、室内の冷媒濃度が一定の値以上に高くならないようにするために、国際規格（ＩＥＣ  ６０３３５−２−４０）に冷媒充填量が定められている。
すなわち、国際規格には、１室当たりの許容冷媒量（Ｍｍａｘ）を、冷媒の燃焼下限濃度（ＬＦＬ）、床面積（Ａ）および装置の据付高さ（Ｈ０）の函数である式「Ｍｍａｘ＝２．５×（ＬＦＬ）１．２５×Ｈ０×Ａ０．５」が規定されている。そして、据付高さ（Ｈ０）として、床置き形は「０．６ｍ」、壁掛け形は「１．８ｍ」、窓置き形は「１．０ｍ」、天吊り形は「２．２ｍ」と規定されている。
【０００７】
そのため、前記式を満足するために、装置が記憶している設計床面積の値と、入力した実際に設置される設置床面積の値（家具類の設置面積を差し引いている）とを比較して、後者が前者よりも狭い場合（前記式を満足しない場合）には、部屋の換気を促す指示をしたり、冷媒の一部を冷媒貯留タンクに収納したりするスプリット形空気調和装置が開示されている（例えば、特許文献１参照）。
【先行技術文献】
【特許文献】
【０００８】
【特許文献１】特開２００２−３７２３１７号公報（第３−４頁、図５）
【発明の概要】
【発明が解決しようとする課題】
【０００９】
しかしながら、特許文献１に開示されたスプリット形空気調和装置は、家具類の設置面積を差し引いた設置床面積の値を入力するだけで、据付高さを入力するものでない。すなわち、据付高さについての注意を欠いているため、仮に、実施の据付高さの値が前記規定された値よりも小さい（低い）場合には、設置床面積の値を入力するだけの判断は、妥当性を失ってしまうという問題があった。
また、家具等の設置床面積を差し引いた設置床面積の値を入力することで、部屋の換気を促す指示をすることが開示されているが、そもそも空気調和装置を用いて部屋の空気調和（冷房や暖房）をしていながら、余計な換気を促すことは、快適性や省エネルギー性を損なうことになる。すなわち、空気調和装置を設置する前に、予め適用できる床面積を確認する手段がないため、快適性や省エネルギー性を犠牲にするという問題があった。
【００１０】
本発明は、上記のような問題を解決するためになされたものであって、第１の目的は、空気調和装置の据え付けの際、室内機毎に据付高さが規定されていることを現地作業者に気づかせることによって、規定の据付高さに設置される空気調和装置を提供することを目的とする。また、第２の目的は、空気調和装置の据え付けの際、空気調和装置の冷媒充填量に基づいた適用できる床面積が規定されていることを現地作業者に気づかせることによって、規定の床面積に設置される空気調和装置を提供することを目的とする。
【課題を解決するための手段】
【００１１】
本発明に係る空気調和装置は、室内機と室外機とを具備するスプリット形の空気調和装置であって、前記室内機は、筐体と、前記筐体内に配置され、可燃性を有する冷媒が供給される室内熱交換器と、前記筐体内に配置され、送風ファンを収容するファンケーシングと、前記筐体内に空気を吸引する吸引口と、前記吸引口を開閉自在に覆う吸引口カバーと、国際規格に規定された室内に据え付ける際の据付高さであって空気調和装置の機種毎に設定されている据付高さを表示する表示部と、を有し、前記表示部は、前記ファンケーシングのうち、前記吸引口カバーが開けられた際に前記吸引口を介して外部から視認可能な位置に設けられているものである。
【００１２】
また、本発明に係る空気調和装置は、室内機と室外機とを具備するスプリット形の空気調和装置であって、前記室内機は、筐体と、前記筐体内に配置され、可燃性を有する冷媒が供給される室内熱交換器と、前記筐体内に配置され、送風ファンを収容するファンケーシングと、前記筐体内に空気を吸引する吸引口と、前記吸引口を開閉自在に覆う吸引口カバーと、国際規格に規定された室内に据え付ける際の床面積であって空気調和装置の機種毎に設定されている冷媒充填量に応じた床面積を表示する表示部と、を有し、前記表示部は、前記ファンケーシングのうち、前記吸引口カバーが開けられた際に前記吸引口を介して外部から視認可能な位置に設けられているものである。
【発明の効果】
【００１５】
本発明によれば、国際規格に規定された「室内に据え付ける際の据付高さ（筐体の床面からの最小距離に同じ）」を表示する表示部が、前記筐体に設けられているため、空気調和装置を据え付ける際、表示部は現地作業者の注意を引く（目に入る）から、現地作業者は、当該空気調和装置に必要な据付高さ（床面からの最小距離）に気づき、規定の据付高さに当該空気調和装置を据え付けることができる。
また、国際規格に規定された「冷媒充填量に基づく、適用できる床面積」を表示する表示部が、前記筐体に設けられているため、空気調和装置を据え付ける際、表示部は現地作業者の注意を引く（目に入る）から、現地作業者は、当該空気調和装置に適用できる床面積（最小床面積）に気づき、規定の床面積の部屋に当該空気調和装置を据え付けることができる。
【図面の簡単な説明】
【００１６】
【図１】本発明の実施の形態１に係る空気調和装置を説明するものであって、冷媒回路の構成を模式的に示す冷媒回路図。
【図２】本発明の実施の形態１に係る空気調和装置を説明するものであって、（ａ）は室内機の外観を示す正面図、（ｂ）は室内機の外観を示す底面図、（ｃ）は室内機の据付状態を示す側面図。
【図３】本発明の実施の形態１に係る空気調和装置の一部（表示部）を示す底面図。
【図４】本発明の実施の形態１に係る空気調和装置を説明するものであって、（ａ）は一部（据付板）を示す正面図、（ｂ）は一部（表示部）を示す正面図。
【図５】本発明の実施の形態２に係る空気調和装置を説明するものであって、（ａ）は室内機の外観を示す斜視図、（ｂ）は室内機の据付状態を示す側面図。
【図６】本発明の実施の形態２に係る空気調和装置の一部（表示図）を示す底面図。
【図７】本発明の実施の形態３に係る空気調和装置を説明するものであって、（ａ）は室内機の外観を示す斜視図、（ｂ）は室内機の据付状態を示す側面図。
【発明を実施するための形態】
【００１７】
［実施の形態１：壁掛け形］
図１〜図４は本発明の実施の形態１に係る空気調和装置を説明するものであって、図１は冷媒回路の構成を模式的に示す冷媒回路図、図２の（ａ）は室内機の外観を示す正面図、図２の（ｂ）は室内機の外観を示す底面図、図２の（ｃ）は室内機の据付状態を示す側面図、図３は一部（表示部）を示す底面図、図４の（ａ）は一部（据付板）を示す正面図、図４の（ｂ）は一部（表示部）を示す正面図である。なお、各図は模式的に示すものであって、本発明は図示された形態に限定されるものではない。
【００１８】
図１において、空気調和装置１００は、室内９０の壁面９１（図２の（ｃ）参照）に設置される室内機（負荷側ユニットに同じ）１０１と、室外（図示しない）に据え付けられる室外機（熱源側ユニットに同じ）１０２と、室内機１０１と室外機１０２とを連結する延長配管１０ａ、１０ｂと、から構成されるスプリット形である。
【００１９】
（室外機の冷媒回路）
室外機１０２には、冷媒を圧縮して吐出する圧縮機３と、冷房運転時と暖房運転時とで冷媒回路内の冷媒の流れ方向を変更する冷媒流路切換弁（以降、「四方弁」と呼ぶ）４と、外気と冷媒との熱交換を行う熱源側熱交換器である室外熱交換器５と、開度が変更可能で、高圧の冷媒を低圧に減圧する電子制御式膨張弁等の膨張手段である減圧装置（以降、膨張弁と呼ぶ）６とが配置され、これらが室外冷媒配管（熱源側冷媒配管に同じ）８によって連結されている。
また、室外熱交換器５に外気を供給する（吹き付ける）室外送風ファン５ｆが、室外熱交換器５に対向して設置されている。室外送風ファン５ｆを回転させることで、室外熱交換器５を通過する空気流を生成する。室外機１０２では、室外送風ファン５ｆとしてプロペラファンを用いており、室外熱交換器５を通過して外気を吸引する形態で、室外熱交換器５の下流（室外送風ファン５ｆが生成する空気流の下流）側に配置されている。
【００２０】
（室外冷媒配管）
室外冷媒配管８とは、ガス側（冷房運転時）の延長配管接続バルブ１３ａと四方弁４とをつなぐ冷媒配管、吸入配管１１、吐出配管１２、四方弁４と室外熱交換器５とをつなぐ冷媒配管、室外熱交換器５と膨張弁６とをつなぐ冷媒配管、膨張弁６と液側（冷房運転時）の延長配管接続バルブ１３ｂをつなぐ冷媒配管とを指し、これらを総称してこのように呼ぶ。
【００２１】
（延長配管接続バルブ）
室外冷媒配管８のガス側の延長配管１０ａとの接続部には、ガス側の延長配管接続バルブ１３ａが設けられ、一方、液側の延長配管１０ｂとの接続部には、液側の延長配管接続バルブ１３ｂが配置されている。
ガス側の延長配管接続バルブ１３ａは開放および閉止の切り替えが可能な二方弁であって、その一端にフレア継手１６ａが取り付けられている。
また、液側の延長配管接続バルブ１３ｂは開放および閉止の切り替えが可能な三方弁であって、真空引きの際（空気調和装置１００に冷媒を供給する前作業の際）に使用するサービス口１４ｂおよびフレア継手１６ｂが取り付けられている。
そして、延長配管接続バルブ１３ａ、１３ｂ（サービス口１４ｂも含む）に取り付けられたフレア継手１６ａ、１６ｂの室外冷媒配管８側には雄ネジが加工されている。そして、室外機１０２の出荷時（空気調和装置１００の出荷時を含む）には、前記雄ネジに螺合する雌ネジが加工されたフレアナット（図示しない）が被着されている。
【００２２】
（サービス口）
なお、以下の説明の便宜のため、室外冷媒配管８のなかで、圧縮機３の吐出側で圧縮機３から四方弁４入口までを接続する範囲を吐出配管１２と呼び、圧縮機３の吸入側で四方弁４から圧縮機３までを接続する範囲を吸入配管１１と呼ぶこととする。
そうすると、冷房運転時（室内熱交換器７に低温低圧な冷媒を供給する運転）あるいは暖房運転時（室内熱交換器７に高温高圧な冷媒を供給する運転）の何れの時でも、吐出配管１２には常に圧縮機３で圧縮された高温高圧なガス冷媒が流れ、吸入配管１１には、蒸発作用を経た低温低圧な冷媒が流れる。
【００２３】
吸入配管１１を流れる低温低圧な冷媒は、ガス冷媒の時もあれば、二相状態の時もある。吸入配管１１には低圧側のフレア継手付きのサービス口１４ａ、吐出配管１２には高圧側のフレア継手付きのサービス口１４ｃが配置されており、据え付け時や修理時の試運転の際に圧力計を接続して、運転圧力を計測するために使用される。
なお、サービス口１４ａ、１４ｃのフレア継手（図示しない）には雄ネジが切ってあって、室外機１０２の出荷時（空気調和装置１００の出荷時を含む）には、前記雄ネジにフレアナット（図示しない）が被着されている。
【００２４】
（室内機の冷媒回路）
室内機１０１には室内空気と冷媒との熱交換を行う利用側熱交換器である室内熱交換器７が配置され、室内熱交換器７に室内冷媒配管（利用側冷媒配管に同じ）９が接続されている。
そして、室内冷媒配管９のガス側の延長配管１０ａとの接続部には、ガス側の延長配管１０ａを接続するためのフレア継手１５ａが設けられ、一方、室内冷媒配管９の液側の延長配管１０ｂとの接続部には、液側の延長配管１０ｂを接続するためのフレア継手１５ｂが配置されている。
そして、フレア継手１５ａ、１５ｂには雄ネジが切ってあって、室内機１０１の出荷時（空気調和装置１００の出荷時を含む）には、前記雄ネジに螺合する雌ネジが加工されたフレアナット（図示しない）が被着されている。
また、室内熱交換器７に対向して室内送風ファン７ｆが設置され、室内送風ファン７ｆの回転により室内熱交換器７を通過する空気流を生成する。なお、室内送風ファン７ｆは、室内機１０１の形態によって、クロスフローファンを使用したり、ターボファンを採用したり様々である。また、その位置も、室内送風ファン７ｆが生成する空気流において室内熱交換器７の下流側の場合もあれば、上流側の場合もある。
【００２５】
（空気調和装置の冷媒回路）
ガス側の延長配管１０ａの両端は、室外機１０２のガス側の延長配管接続バルブ１３ａに取り付けられたフレア継手１６ａと室内機１０１の室内冷媒配管９に取り付けられたフレア継手１５ａとにそれぞれ着脱自在に接続され、一方、液側の延長配管１０ｂの両端は、室外機１０２の液側の延長配管接続バルブ１３ｂに取り付けられたフレア継手１６ｂと室内機１０１の室内冷媒配管９に取り付けられたフレア継手１５ｂとにそれぞれ着脱自在に接続される。
すなわち、室外冷媒配管８と室内冷媒配管９とが延長配管１０ａ、１０ｂによって接続されることによって冷媒回路が形成され、圧縮機３によって圧縮された冷媒を循環させる圧縮式ヒートポンプサイクルが構成される。
【００２６】
（冷房運転時の冷媒流れ）
図１において、実線矢印は冷房運転時の冷媒の流れ方向を示している。冷房運転では、四方弁４が実線で示すような冷媒回路に切り替えられ、圧縮機３から吐出された高温高圧のガス冷媒は四方弁４を経てまず室外熱交換器５へと流入する。
室外熱交換器５は凝縮器として作用する。すなわち、室外送風ファン５ｆの回転により生成される空気流が室外熱交換器５を通過する際に、通過する室外空気と室外熱交換器５を流れる冷媒とが熱交換して、冷媒の凝縮熱が室外空気に付与される。こうして冷媒は室外熱交換器５で凝縮して高圧中温な液冷媒となる。
次に、高圧中温な液冷媒は膨張弁６に流入し、膨張弁６において断熱膨張して低圧低温の二相冷媒となる。
【００２７】
続いて低圧低温の二相冷媒は、液側の延長配管１０ｂを経由して室内機１０１に供給され、室内熱交換器７に流入する。この室内熱交換器７が蒸発器として作用する。すなわち、室内送風ファン７ｆの回転で生じる室内空気の流れが室内熱交換器７を通過する際に、通過する室内空気と室内熱交換器７を流れる冷媒とが熱交換して、冷媒が室内空気から蒸発熱（温熱）を奪って蒸発し、低温低圧なガス冷媒もしくは二相冷媒の状態になる。一方、通過する室内空気は冷媒から冷熱を奪って冷却され、室内を冷房する。
さらに、室内熱交換器７において蒸発して低温低圧なガス冷媒もしくは二相冷媒の状態になった冷媒は、ガス側の延長配管１０ａを経由して室外機１０２に供給され、四方弁４を経由して圧縮機３に吸入される。そして、圧縮機３において再び高温高圧のガス冷媒に圧縮される。冷房運転ではこのサイクルが繰り返される。
【００２８】
（暖房運転時の冷媒流れ）
図１において、点線矢印は暖房運転時の冷媒の流れ方向を示している。四方弁４を点線で示すような冷媒回路に切り替えれば、冷媒は冷房運転時と逆方向に流れ、まず室内熱交換器７に流入するようになり、この室内熱交換器７を凝縮器、そして室外熱交換器５を蒸発器として作用させ、室内熱交換器７を通過する室内空気に凝縮熱（温熱）を与えて暖め、暖房運転となる。
【００２９】
（冷媒）
空気調和装置１００では、冷媒回路を流れる冷媒として、現在広く空気調和装置で使用されているＨＦＣ冷媒Ｒ４１０ＡよりもＧＷＰが小さく、比較的地球温暖化への影響が少ないが、微燃性を有するＨＦＣ冷媒であるＲ３２（ＣＨ２Ｆ２；ジフルオロメタン）を用いている。冷媒は、一定量をあらかじめ室外機１０２内に封入した状態で出荷され、空気調和装置１００を設置する際、延長配管１０ａ、１０ｂの長さによって不足が生じる場合には、現地作業にて追加充填される。
【００３０】
なお、冷媒はこのＲ３２に限定されるものではなく、Ｒ３２同様に微燃性を有する、先に説明した、ＨＦＣ冷媒の一種であるが、組成中に炭素の二重結合を有するハロゲン化炭化水素であり、ＧＷＰがＲ３２冷媒よりも更に小さい例えばＨＦＯ−１２３４ｙｆ（ＣＦ３ＣＦ＝ＣＨ２；テトラフルオロプロペン）やＨＦＯ−１２３４ｚｅ（ＣＦ３−ＣＨ＝ＣＨＦ）等のＨＦＯ冷媒であってもよい。
また、強燃性を有するＲ２９０（Ｃ３Ｈ８；プロパン）やＲ１２７０(Ｃ３Ｈ６；プロピレン)等のＨＣ冷媒であってもよい。また、これら冷媒の二種以上を混合した混合冷媒であってもよい。
【００３１】
（室内機の外観）
図２の（ａ）〜（ｃ）において、室内機１０１は、上面１１１に形成された吸引口１１２と、前面１１３と下面１１４に跨がって形成されて吹出口１１５とを具備する筐体１１０と、筐体１１０の前面１１３に着脱自在に設置された化粧パネル１２０と、吹出口１１５に設置され、室内熱交換器７（図１参照）によって調和された空気（以下「調和空気」と称す）の上下方向の吹出方向を調整する上下風向板１３０と、吹出口１１５よりも筐体１１０内（上流側）に設置され、調和空気の左右方向の吹出方向を調整する左右風向板１４０と、を有している。そして、下面１１４に名標部１５０および表示部１６０が設けられている。
なお、筐体１１０は、室内９０の壁面９１に据え付けられ、下面１１４は床面９２から据付高さ（Ｈ０）である１．８ｍよりも高い位置になっている。
【００３２】
（名標部）
名標部１５０には、空気調和装置１００の型式や製造者名、さらに使用する冷媒の名称等が記載されている。
なお、本発明は名標部１５０に表示される内容（文字、記号等）や、表示の形態（下面１１４に凹凸を設けて表示、下面１１４に印刷して表示、あるいは、内容が表示されたプレートを添付する等）を限定するものではない。
【００３３】
（表示部）
図３において、表示部１６０には、「この室内ユニットは、１）高さ１．８ｍ以上に据え付けてください。２）床面積３５ｍ２以上の室内に据え付けてください。」と記載されている。すなわち、室内の壁面に設置される壁掛け形の室内機に対して規定された国際規格（ＩＥＣ  ６０３３５−２−４０）の以下の式の「据付高さ（Ｈ０）の値」および空気調和装置１００の冷媒充填量に対応した「床面積」が記載されている。
なお、表示部１６０の形態は限定するものではなく、下面１１４に直接凹凸を設けて表示したり、下面１１４に色分けに（印刷）よって表示したりしてもよい。また、内容が凹凸または色分けによって表示された短冊ないし板片（プレート）を、撤去不能に添付したり、あるいは、筐体１１０を据え付けた後に撤去可能なように添付したりしてもよい。
また、以上は、表示部１６０を下面１１４に設けているが、本発明はこれに限定するものではなく、これに代えて、側面１１６または側面１１７に設けてもよい。
さらに、表示部１６０は、「据付高さ（Ｈ０）の値」のみ、あるいは「最小床面積の値」のみを表示してもよい。
【００３４】
（国際規格）
国際規格は、室内に対して、１室当たりの許容冷媒量（Ｍｍａｘ）を、式「Ｍｍａｘ＝２．５×（ＬＦＬ）１．２５×Ｈ０×Ａ０．５」と規定し、このとき、「ＬＦＬ」は冷媒の燃焼下限濃度、「Ａ」は床面９２の面積、「Ｈ０」は下面１１４と床面９２との最小距離（「据付高さ」に同じ）である。そして、据付高さ（Ｈ０）として、床置き形は「０．６ｍ」、壁掛け形は「１．８ｍ」、窓置き形は「１．０ｍ」、天吊り形は「２．２ｍ」としている。
【００３５】
（作用効果）
したがって、空気調和装置１００の室内機１０１を、壁面９１に据え付ける際、表示部１６０は現地作業者（図示しない）の注意を引く（目に入る）ため、現地作業者は、室内機１０１に必要な据付高さ（筐体１１０の下面１１４と床面９２との最小距離）に気づくから、室内機１０１（筐体１１０）を規定通りの据付高さに据え付けることができる。
すなわち、不用意に低い位置に取り付けるようなことが回避されるため、国際規格が満足されないような事態を回避することができる。
また、国際規格に規定された「冷媒充填量に基づく、適用できる床面積」を表示する表示部１６０が、筐体１１０に設けられているため、空気調和装置１００を据え付ける際、表示部１６０は現地作業者の注意を引く（目に入る）から、現地作業者は、空気調和装置１００に適用できる床面積（最小床面積）に気づき、規定の床面積の部屋に空気調和装置１００を据え付けることができる。すなわち、空気調和装置１００を不用意に小さい床面積の部屋（狭い部屋）に据え付けることが回避されることから、国際規格を満足しないような事態が回避され、余計な換気をする必要もなくなるため、快適性や省エネルギー性を犠牲にすることが無くなる。
【００３６】
（据付板）
図４の（ａ）において、据付板１７０は壁面９１に直接設置されるものであって、据付板１７０に室内機１０１が取り付けられる。すなわち、室内機１０１は壁面９１に直接据え付けられないで、据付板１７０を介して間接的に据え付けられる。このとき、据付板１７０に表示部１８０が設けられている。
図４の（ｂ）において、表示部１８０には「この室内ユニットは、高さ１．８ｍ以上に据え付けてください。」と記載されているが、表示部１６０と同様に、床面積についても表示を追加してもよい。
したがって、室内機１０１を壁面９１に据え付ける際、予め、据付板１７０を壁面９１に設置するところ、据付板１７０には表示部１８０が設けられ、表示部１８０は現地作業者（図示しない）の注意を引く（目に入る）ため、現地作業者は、室内機１０１に必要な据付高さ（筐体１１０の下面１１４と床面９２との最小距離）に気づくから、据付板１７０を規定通りの据付高さに設置し、据付板１７０を介して室内機１０１（筐体１１０）を規定通りの据付高さに据え付けることができる。
【００３７】
［実施の形態２：天吊り形］
図５および図６は本発明の実施の形態２に係る空気調和装置を説明するものであって、図５の（ａ）は室内機の外観を示す斜視図、図５の（ｂ）は室内機の据付状態を示す側面図、図６は一部（表示部）を示す底面図である。なお、各図は模式的に示すものであって、本発明は図示された形態に限定されるものではない。また、実施の形態１と同じ部分または相当する部分には同じ符号を付し、一部の説明を省略する。
【００３８】
図５の（ａ）および（ｂ）において、実施の形態２に係る室内機２０１を具備する空気調和装置２００（図示しない）は、室内９０の天井面９３から吊り下げられた室内機（負荷側ユニットに同じ）２０１と、室外（図示しない）に据え付けられる室外機（図示しない）と、室内機２０１と室外機とを連結する延長配管（図示しない）と、から構成されるスプリット形である。
なお、空気調和装置２００の冷凍サイクルを実行するための機器および冷媒回路の構成や、冷媒の流し方については、空気調和装置１００（実施の形態１）に同じであるから、説明を省略する。
【００３９】
（室内機）
図５の（ａ）および（ｂ）において、室内機２０１は、下面２１１の後面２１５寄りに形成された吸引口２１２と、前面２１３に形成されて吹出口２１４とを具備する筐体２１０と、吸引口２１２を開閉自在に覆い、通風自在な隙間を複数のスリットが形成された吸引口カバー２２０ａ、２２０ｂと、吹出口２１４に設置され、調和空気の上下方向の吹出方向を調整する上下風向板２３０と、を有している。
そして、図示しない室内送風ファン７ｆはケーシング２４０ａ、２４０ｂ、２４０ｃ、２４０ｄによって覆われている。そして、ケーシング２４０ａ、２４０ｂ、２４０ｃ、２４０ｄの吸引口２１２に位置する範囲は、吸引口２１２を閉じた状態の吸引口カバー２２０ａ、２２０ｂに対向し、吸引口カバー２２０ａ、２２０ｂが吸引口２１２を開放した際、室内機２０１の外部から視認可能である。
さらに、ケーシング２４０ａの下面およびケーシング２４０ｂの下面で、吸引口２１２に対向した範囲に、名標部２５０および表示部２６０がそれぞれ設けられている。
なお、図５の（ａ）では、ケーシング２４０ａ等が４列であって、端寄りの列に名標部２５０が、中央寄りの列に表示部２６０が、それぞれ並ぶように設けられているが、本発明はこれに限定するものではなく、いずれの列に、名標部２５０および表示部２６０をそれぞれ設けてもよく、名標部２５０および表示部２６０を同じ列に設けてもよく、さらに、列数は４列に限定するものではない。
【００４０】
（表示部）
図６において、表示部２６０には、「この室内ユニットは、１）高さ２．２ｍ以上に据え付けてください。２）床面積３５ｍ２以上の室内に据え付けてください。」と記載されている。すなわち、室内の壁面に設置される壁掛け形の室内機に対して規定された国際規格（ＩＥＣ  ６０３３５−２−４０）の前記式における、天吊り形の「据付高さ（Ｈ０）の値」である「２．２ｍ」および空気調和装置２００の冷媒充填量に対応した「床面積」が記載されている。
なお、表示部２６０の形態は、表示部１６０に準じるものである。また、以上は、表示部２６０をケーシング２４０ａの下面に設けているが、本発明はこれに限定するものではなく、これに代えて、筐体２１０の側面２１６または側面２１７、あるいは下面２１１に設けてもよい。
【００４１】
（作用効果）
したがって、空気調和装置２００の室内機２０１を天井面９３から吊り下げる際、現地作業者（図示しない）は吸引口カバー２２０ａ、２２０ｂを開くため、表示部２６０は吸引口２１２を通して、外部から視認可能に暴露されることになる。そうすると、表示部２６０は現地作業者（図示しない）の注意を引く（目に入る）ため、現地作業者は、室内機２０１に必要な据付高さ（筐体２１０の下面２１１と床面９２との最小距離）に気づくから、室内機２０１（筐体２１０）を規定通りの据付高さに据え付けることができる。
すなわち、不用意に低い位置に取り付けるようなことが回避されるため、国際規格が満足されないような事態を回避することができる。
また、国際規格に規定された「冷媒充填量に基づく、適用できる床面積」を表示する表示部２６０が、筐体２１０に設けられているため、実施の形態１と同様に、空気調和装置２００を不用意に小さい床面積の部屋（狭い部屋）に据え付けることが回避される、国際規格を満足しないような事態が回避され、快適性や省エネルギー性を犠牲にすることが無くなる。
【００４２】
［実施の形態３：天井面埋め込み形］
図７は本発明の実施の形態３に係る空気調和装置を説明するものであって、図７の（ａ）は室内機の外観を示す斜視図、図７の（ｂ）は室内機の据付状態を示す側面図である。
なお、各図は模式的に示すものであって、本発明は図示された形態に限定されるものではない。また、実施の形態１と同じ部分または相当する部分には同じ符号を付し、一部の説明を省略する。
【００４３】
図７の（ａ）および（ｂ）において、実施の形態３に係る室内機３０１を具備する空気調和装置３００（図示しない）は、室内９０の天井面９３の上方に形成された天井裏空間（埋め込み部）９４に埋め込まれた室内機（負荷側ユニットに同じ）３０１と、室外（図示しない）に据え付けられる室外機（図示しない）と、室内機３０１と室外機とを連結する延長配管（図示しない）と、から構成されるスプリット形である。
なお、空気調和装置３００の冷凍サイクルを実行するための機器および冷媒回路の構成や、冷媒の流し方については、空気調和装置１００（実施の形態１）に同じであるから、説明を省略する。
【００４４】
（室内機）
図７の（ａ）および（ｂ）において、室内機３０１は、側面３１１ａ、３１１ｂ、３１１ｃ、３１１ｄを具備する四角柱状の筐体３１０を有し、筐体３１０の下面３１２の中央範囲は開口して吸引口３１３を形成し、側面３１１ａ、３１１ｂ、３１１ｃ、３１１ｄにそれぞれ沿って吹出口３１４ａ、３１４ｂ、３１４ｃ、３１４ｄが形成されている。
そして、筐体３１０の中央に吸引口３１３に対向して室内送風ファン７ｆ（図１参照、図示しない）が設置され、室内送風ファン７ｆを囲むように室内熱交換器７が配置されている。
【００４５】
そして、吹出口３１４ａの吸引口３１３（側面３１１ａの反対側）に電気品収納箱３２０が配置され、電気品収納箱３２０の下面に名標部３５０および表示部３６０が設けられている。
なお、筐体３１０の下面３１２は、着脱自在に設置された化粧パネル（図示しない）によって覆われているが、室内機３０１を天井裏空間９４に据え付ける際は、室内機３０１の据え付け後に化粧パネルを取り付けるので、図７に示すような状態（一部の記載を省略している）になる。すなわち、室内機３０１を天井裏空間９４に据え付ける際、名標部３５０および表示部３６０は暴露され、現地作業者の目に触れることになる。
【００４６】
（表示部）
表示部３６０には、表示部２６０と同様に「この室内ユニットは、高さ２．２ｍ以上に据え付けてください（図６参照）。」と記載されている。すなわち、室内の壁面に設置される壁掛け形の室内機に対して規定された国際規格（ＩＥＣ  ６０３３５−２−４０）の前記式における、天吊り形の「据付高さ（Ｈ０）の値」である「２．２ｍ」が表示されている。
なお、表示部３６０の形態は、表示部１６０に準じるものである。
なお、図７の（ａ）では、電気品収納箱３２０に名標部３５０および表示部３６０が設けられているが、本発明はこれに限定するものではなく、名標部３５０および表示部３６０の一方または両方を、下面３１２（例えば、吹出口３１４ｂと吹出口３１４ｃとの間）に設けてもよい。
【００４７】
（作用効果）
したがって、空気調和装置３００の室内機３０１を天井面９３の天井裏空間９４に据え付ける際、電気品収納箱３２０の下面（下面には表示部３６０が設けられている）は外部から視認可能に暴露されることになる。そうすると、表示部３６０は現地作業者（図示しない）の注意を引く（目に入る）ため、現地作業者は、室内機３０１に必要な据付高さ（筐体３１０の下面３１２と床面９２との最小距離）に気づくから、室内機３０１（筐体３１０）を規定通りの据付高さに据え付けることができる。
すなわち、不用意に低い位置に取り付けるようなことが回避されるため、国際規格が満足されないような事態を回避することができる。
また、国際規格に規定された「冷媒充填量に基づく、適用できる床面積」を表示する表示部３６０が、筐体３１０に設けられているため、実施の形態１、２と同様に、空気調和装置３００を不用意に小さい床面積の部屋（狭い部屋）に据え付けることが回避される、国際規格を満足しないような事態が回避され、快適性や省エネルギー性を犠牲にすることが無くなる。
【符号の説明】
【００４８】
３  圧縮機、４  四方弁、５  室外熱交換器、５ｆ  室外送風ファン、６  膨張弁、７  室内熱交換器、７ｆ  室内送風ファン、８  室外冷媒配管、９  室内冷媒配管、１０ａ  延長配管、１０ｂ  延長配管、１１  吸入配管、１２  吐出配管、１３ａ  延長配管接続バルブ、１３ｂ  延長配管接続バルブ、１４ａ  サービス口、１４ｂ  サービス口、１４ｃ  サービス口、１５ａ  フレア継手、１５ｂ  フレア継手、１６ａ  フレア継手、１６ｂ  フレア継手、９０  室内、９１  壁面、９２  床面、９３  天井面、９４  天井裏空間、１００  空気調和装置（実施の形態１）、１０１  室内機、１０２  室外機、１１０  筐体、１１１  上面、１１２  吸引口、１１３  前面、１１４  下面、１１５  吹出口、１１６  側面、１１７  側面、１２０  化粧パネル、１３０  上下風向板、１４０  左右風向板、１５０  名標部、１６０  表示部、１７０  据付板、１８０  表示部、２００  空気調和装置（実施の形態２）、２０１  室内機、２１０  筐体、２１１  下面、２１２  吸引口、２１３  前面、２１４  吹出口、２１５  後面、２１６  側面、２１７  側面、２２０ａ  吸引口カバー、２２０ｂ  吸引口カバー、２３０  上下風向板、２４０ａ  ケーシング、２４０ｂ  ケーシング、２４０ｃ  ケーシング、２４０ｄ  ケーシング、２５０  名標部、２６０  表示部、３００  空気調和装置（実施の形態３）、３０１  室内機（実施の形態１）、３１０  筐体、３１１ａ  側面、３１１ｂ  側面、３１１ｃ  側面、３１１ｄ  側面、３１２  下面、３１３  吸引口、３１４ａ  吹出口、３１４ｂ  吹出口、３１４ｃ  吹出口、３１４ｄ  吹出口、３２０  電気品収納箱、３５０  名標部、３６０  表示部。
【図１】
0005918415.tif 000002
【図２】
0005918415.tif 000003
【図３】
0005918415.tif 000004
【図４】
0005918415.tif 000005
【図５】
0005918415.tif 000006
【図６】
0005918415.tif 000007
【図７】
0005918415.tif 000008